(57)【要約】【課題】狭額縁化が可能な表示装置を提供する。【解決手段】表示素子を備えた表示領域を含む第１領域と、非表示領域であり前記第１領域と隣接する第２領域及び第３領域と、を有するシート状の表示パネルと、前記第１領域と前記第２領域との境界に位置する第１折り曲げ線と、前記第１領域と前記第３領域との境界に位置する第２折り曲げ線と、を備え、前記第１折り曲げ線は、第１方向に沿って延出し、前記第２折り曲げ線は、前記第１方向と交差する第２方向に沿って延出し、前記第１領域の前記第１方向に沿った長さは、前記第１折り曲げ線の長さより長く、前記第１領域の前記第２方向に沿った長さは、前記第２折り曲げ線の長さより長い、表示装置。【選択図】図１
2020118834.tif 000002
【特許請求の範囲】
【請求項１】
表示素子を備えた表示領域を含む第１領域と、非表示領域であり前記第１領域と隣接する第２領域及び第３領域と、を有するシート状の表示パネルと、
前記第１領域と前記第２領域との境界に位置する第１折り曲げ線と、
前記第１領域と前記第３領域との境界に位置する第２折り曲げ線と、を備え、
前記第１折り曲げ線は、第１方向に沿って延出し、
前記第２折り曲げ線は、前記第１方向と交差する第２方向に沿って延出し、
前記第１領域の前記第１方向に沿った長さは、前記第１折り曲げ線の長さより長く、
前記第１領域の前記第２方向に沿った長さは、前記第２折り曲げ線の長さより長い、表示装置。
【請求項２】
前記第１折り曲げ線の端部は、前記第１領域の角部から離間し、
前記第２折り曲げ線の端部は、前記角部から離間している、請求項１に記載の表示装置。
【請求項３】
前記表示素子を駆動する第１ドライバ及び第２ドライバを備え、
前記第１ドライバは、前記第２領域に位置し、
前記第２ドライバは、前記第３領域に位置している、請求項１に記載の表示装置。
【請求項４】
前記第２領域に位置し、前記第１方向に沿って延出した第３折り曲げ線と、
前記第３領域に位置し、前記第２方向に沿って延出した第４折り曲げ線と、を備えている、請求項１に記載の表示装置。
【請求項５】
前記第２領域は、前記第１領域と反対側の第１エッジを有し、
前記第３領域は、前記第１領域と反対側の第２エッジを有し、
前記第１エッジ及び前記第２エッジは、前記第１領域と対向している、請求項４に記載の表示装置。
【請求項６】
前記第１エッジと前記第２エッジとは、重なっていない、請求項５に記載の表示装置。
【請求項７】
前記表示素子を駆動する第１ドライバ及び第２ドライバを備え、
前記第１ドライバは、前記第３折り曲げ線と前記第１エッジとの間に位置し、
前記第２ドライバは、前記第４折り曲げ線と前記第２エッジとの間に位置している、請求項５又は６に記載の表示装置。
【請求項８】
前記第２領域は、実装部を備え、
前記実装部は、前記第１ドライバと電気的に接続された第１端子と、前記第２ドライバと電気的に接続された第２端子と、を含んでいる、請求項３又は７に記載の表示装置。
【請求項９】
第１配線と、前記第２ドライバと前記第２端子とを電気的に接続する第２配線と、を備え、
前記第２配線は、前記表示領域と前記第１配線との間に位置し、
前記第１配線及び前記第２配線は、前記第２領域、前記第１領域、及び、前記第３領域に亘って延伸している、請求項８に記載の表示装置。
【請求項１０】
前記表示パネルは、第１基板と、第２基板と、前記第１基板と前記第２基板とを接着するシールと、を備え、
前記シールは、前記第２領域、前記第１領域、及び、前記第３領域に亘って設けられている、請求項１乃至９のいずれか１項に記載の表示装置。
【請求項１１】
前記第１折り曲げ線及び前記第２折り曲げ線は、山折りの折り曲げ線である、請求項１乃至１０のいずれか１項に記載の表示装置。
【発明の詳細な説明】
【技術分野】
【０００１】
本実施形態は、表示装置に関する。
【背景技術】
【０００２】
スマートフォンに代表される携帯型情報端末において、扱う情報量の増加に伴い、表示画面の大きさが表示装置の重要な性能指標の一つとなっている。一方、携帯型情報端末のハードウエアとしては、軽くコンパクトである事が求められている。したがって、携帯型情報端末などに組み込まれる表示装置としては、可能な限り非表示部の存在しない、すなわち、表示領域の割合の高いデバイスが求められている。しかしながら、表示素子を駆動するための内蔵回路、引き回し配線、外部機器との接続部については、完全に取り去ることは困難である。
【先行技術文献】
【特許文献】
【０００３】
【特許文献１】米国特許出願公開第２０１６／９３４９７５８号明細書
【発明の概要】
【発明が解決しようとする課題】
【０００４】
本実施形態の目的は、狭額縁化が可能な表示装置を提供することである。
【課題を解決するための手段】
【０００５】
一実施形態によれば、  
表示素子を備えた表示領域を含む第１領域と、非表示領域であり前記第１領域と隣接する第２領域及び第３領域と、を有するシート状の表示パネルと、前記第１領域と前記第２領域との境界に位置する第１折り曲げ線と、前記第１領域と前記第３領域との境界に位置する第２折り曲げ線と、を備え、前記第１折り曲げ線は、第１方向に沿って延出し、前記第２折り曲げ線は、前記第１方向と交差する第２方向に沿って延出し、前記第１領域の前記第１方向に沿った長さは、前記第１折り曲げ線の長さより長く、前記第１領域の前記第２方向に沿った長さは、前記第２折り曲げ線の長さより長い、表示装置が提供される。
【図面の簡単な説明】
【０００６】
【図１】図１は、本実施形態に係る表示装置ＤＳＰの構成例を示す斜視図である。
【図２】図２は、図１に示す表示パネルＰＮＬの展開図である。
【図３】図３は、図２に示す領域Ａ１の断面図である。
【図４】図４は、第２基板ＳＵＢ２が備える遮光層ＢＭの配置例を示す平面図である。
【図５】図５は、表示パネルＰＮＬの第１変形例を示す展開図である。
【図６】図６は、図５に示す表示パネルＰＮＬを折り曲げ線に沿って折り曲げた場合の斜視図である。
【図７】図７は、図６に示すＡ−Ｂ線に沿った断面図である。
【図８】図８は、図６に示す角部Ｃ１の近傍における表示装置ＤＳＰの断面図である。
【図９】図９は、表示パネルＰＮＬの第２変形例を示す展開図である。
【図１０】図１０は、図９に示す表示パネルＰＮＬを折り曲げ線に沿って折り曲げた場合の斜視図である。
【図１１】図１１は、表示パネルＰＮＬの第３変形例を示す断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態に係る表示装置ＤＳＰの構成例を示す斜視図である。図１は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘと第２方向Ｙとは、９０度以外の角度で交差していてもよい。本実施形態において、第３方向Ｚを上と定義し、第３方向Ｚと反対側の方向を下と定義する。
【０００９】
本実施形態において、表示装置ＤＳＰは、表示素子として液晶素子を有する液晶表示装置である。しかしながら、表示装置ＤＳＰは、有機エレクトロルミネッセンス（ＥＬ）素子、あるいは、電気泳動型素子、マイクロ発光ダイオード等の表示素子を有する表示装置であってもよい。
【００１０】
表示装置ＤＳＰは、折り曲げ可能なシート状の表示パネルＰＮＬと、配線基板ＰＣ１と、光学素子ＯＤと、を備えている。
【００１１】
表示パネルＰＮＬは、少なくとも交差する２方向に沿って折り曲げられている。図１に示した例では、表示パネルＰＮＬは、４つの折り曲げ線ＦＬ１、ＦＬ２、ＦＬ３、及び、ＦＬ４において折り曲げられている。折り曲げ線ＦＬ１及びＦＬ３は、第１方向Ｘに沿って延出している。折り曲げ線ＦＬ２及びＦＬ４は、第２方向Ｙに沿って延出している。なお、本実施形態において、折り曲げとは、単一部材において交差する２つの平面が形成され、且つ、交差する２つの平面の間に形成される曲面状の領域の幅が、平面の幅に比べて十分に小さいことを意味する。表示パネルＰＮＬの折り曲げにおいて、曲率半径は、例えば表示パネルＰＮＬの厚さ程度である。
【００１２】
折り曲げ線ＦＬ１、ＦＬ２、ＦＬ３、及び、ＦＬ４において、表示パネルＰＮＬが折り曲げられたことにより、表示パネルＰＮＬには、主面あるいは表示面としての領域Ａ１と、側面に位置する領域Ａ２、Ａ３、Ａ４、及び、Ａ５とが形成されている。
【００１３】
領域Ａ１は、略四角形であり、一例では、長方形状である。折り曲げ線ＦＬ１、ＦＬ２、ＦＬ３、及び、ＦＬ４は、領域Ａ１の４つの辺に相当する。具体的には、折り曲げ線ＦＬ１は、領域Ａ１と領域Ａ２との境界に位置している。折り曲げ線ＦＬ２は、領域Ａ１と領域Ａ３との境界に位置している。折り曲げ線ＦＬ３は、領域Ａ１と領域Ａ４との境界に位置している。折り曲げ線ＦＬ４は、領域Ａ１と領域Ａ５との境界に位置している。なお、領域Ａ１は、四角形に限らず、他の多角形であってもよい。
【００１４】
さらに詳しく説明すると、領域Ａ１は、４つの角部Ｃ１、Ｃ２、Ｃ３、及び、Ｃ４を有している。なお、角部Ｃ１、Ｃ２、Ｃ３、及び、Ｃ４の各々は、直角であるとは限らず、面取りされていてもよい。図１に示した例では、角部Ｃ１は折り曲げ線ＦＬ１及びＦＬ２のそれぞれの延長線の交点に相当し、角部Ｃ２は折り曲げ線ＦＬ２及びＦＬ３のそれぞれの延長線の交点に相当し、角部Ｃ３は折り曲げ線ＦＬ３及びＦＬ４のそれぞれの延長線の交点に相当し、角部Ｃ４は折り曲げ線ＦＬ１及びＦＬ４のそれぞれの延長線の交点に相当する。
【００１５】
図１に示すように、第１領域Ａ１の第１方向Ｘに沿った長さＬｘは、折り曲げ線ＦＬ１の第１方向Ｘに沿った長さＬ１より長い。同様に、長さＬｘは、折り曲げ線ＦＬ３の第１方向Ｘに沿った長さＬ３より長い。また、第１領域Ａ１の第２方向Ｙに沿った長さＬｙは、折り曲げ線ＦＬ２の第２方向Ｙに沿った長さＬ２より長い。同様に、長さＬｙは、折り曲げ線ＦＬ４の第２方向Ｙに沿った長さＬ４より長い。長さＬｘは、折り曲げ線ＦＬ２と折り曲げ線ＦＬ４との間隔に相当する。長さＬｙは、折り曲げ線ＦＬ１と折り曲げ線ＦＬ３との間隔に相当する。一例では、長さＬ１は長さＬ３と等しく、長さＬ２は長さＬ４と等しい。また、長さＬ１は、長さＬ２より小さい。なお、長さＬ１は長さＬ３と一致していなくてもよく、長さＬ２は長さＬ４と一致していなくてもよい。
【００１６】
角部Ｃ１に着目すると、折り曲げ線ＦＬ１の端部（あるいは、第１領域Ａ１と第２領域Ａ２との交点）ＦＥ１１は、角部Ｃ１から離間している。また、折り曲げ線ＦＬ２の端部（あるいは、第１領域Ａ１と第３領域Ａ３との交点）ＦＥ２１は、角部Ｃ１から離間している。第１領域Ａ１は、端部ＦＥ１１と角部Ｃ１との間にエッジＥ１１を有し、また、端部ＦＥ２１と角部Ｃ１との間にエッジＥ２１を有している。一例では、エッジＥ１１は折り曲げ線ＦＬ１の延長線上に位置し、また、エッジＥ２１は折り曲げ線ＦＬ２の延長線上に位置している。
【００１７】
他の角部Ｃ２乃至Ｃ４についても同様に構成されている。例えば、角部Ｃ４に着目すると、折り曲げ線ＦＬ１の端部ＦＥ１２は、端部ＦＥ１１の反対側に位置し、角部Ｃ４から離間している。第１領域Ａ１は、端部ＦＥ１２と角部Ｃ４との間にエッジＥ１２を有している。エッジＥ１２は、折り曲げ線ＦＬ１の延長線上に位置している。角部Ｃ２に着目すると、折り曲げ線ＦＬ２の端部ＦＥ２２は、端部ＦＥ２１の反対側に位置し、角部Ｃ２から離間している。第１領域Ａ１は、端部ＦＥ２２と角部Ｃ２との間にエッジＥ２２を有している。エッジＥ２２は、折り曲げ線ＦＬ２の延長線上に位置している。
【００１８】
領域Ａ２は、角部Ｃ１と角部Ｃ４との間で領域Ａ１に繋がり、角部Ｃ１及び角部Ｃ４の双方から離間して設けられている。領域Ａ３は、角部Ｃ１と角部Ｃ２との間で領域Ａ１に繋がり、角部Ｃ１及び角部Ｃ２の双方から離間して設けられている。領域Ａ４は、角部Ｃ２と角部Ｃ３との間で領域Ａ１に繋がり、角部Ｃ２及び角部Ｃ３の双方から離間して設けられている。領域Ａ５は、角部Ｃ３と角部Ｃ４との間で領域Ａ１に繋がり、角部Ｃ３及び角部Ｃ４の双方から離間して設けられている。
【００１９】
折り曲げ線ＦＬ１乃至ＦＬ４は、いずれも山折りの折り曲げ線である。すなわち、領域Ａ２乃至Ａ５は、折り曲げ線ＦＬ１乃至ＦＬ４において、それぞれ領域Ａ１から下側（すなわち表示面と反対側）に向かって折り曲げられている。領域Ａ１と領域Ａ２とがなす角度、領域Ａ１と領域Ａ３とがなす角度、領域Ａ１と領域Ａ４とがなす角度、及び、領域Ａ１と領域Ａ５とがなす角度は、一例では、いずれも約９０度である。なお、領域Ａ１と領域Ａ２、Ａ３、Ａ４、及びＡ５とがなす角度は、９０度以外の角度であってもよく、それぞれ異なっていてもよい。領域Ａ２乃至Ａ５の各々が領域Ａ１の背面側に重なる場合もありうる。表示パネルＰＮＬが折り曲げられた状態において、領域Ａ２乃至Ａ５は、互いに重なることなく離間している。
【００２０】
配線基板ＰＣ１は、領域Ａ２に実装されている。配線基板ＰＣ１は、例えば可撓性を有するフレキシブル基板である。なお、本実施形態で適用可能なフレキシブル基板とは、その少なくとも一部分に、屈曲可能な材料によって形成されたフレキシブル部を備えていればよい。例えば、配線基板ＰＣ１は、その全体がフレキシブル部として構成されたフレキシブル基板であってもよいし、ガラスエポキシなどの硬質材料によって形成されたリジッド部と、ポリイミドなどの屈曲可能な材料によって形成されたフレキシブル部とを備えたリジッドフレキシブル基板であってもよい。
【００２１】
光学素子ＯＤは、図１に一点鎖線で示すように、第１方向Ｘ及び第２方向Ｙによって規定されるＸ−Ｙ平面において領域Ａ１とほぼ等しい面積を有し、領域Ａ１の直上に設けられている。すなわち、領域Ａ１の全面は、光学素子ＯＤと重なっている。一方、領域Ａ２乃至Ａ５は、光学素子ＯＤと重なっていない。
【００２２】
図２は、図１に示す表示パネルＰＮＬの展開図である。図２は、Ｘ−Ｙ平面と平行な面を示している。表示パネルＰＮＬにおいて、領域Ａ２乃至Ａ５の各々は、領域Ａ１と隣接している。領域Ａ２と領域Ａ４とは、領域Ａ１を間に挟み、第２方向Ｙに対向している。領域Ａ３と領域Ａ５とは、領域Ａ１を間に挟み、第１方向Ｘに対向している。
【００２３】
一例では、領域Ａ２乃至Ａ５は、台形状に形成されている。領域Ａ２乃至Ａ５は、それぞれ、領域Ａ１と反対側に位置するエッジＥ２ａ、Ｅ３ａ、Ｅ４ａ及びＥ５ａを有している。一例では、エッジＥ２ａ及びＥ４ａは、第１方向Ｘに沿って延出している。エッジＥ３ａ及びＥ５ａは、第２方向Ｙに沿って延出している。エッジＥ２ａの第１方向Ｘに沿った長さは、折り曲げ線ＦＬ１の長さ（図１の長さＬ１）より小さい。エッジＥ４ａの第１方向Ｘに沿った長さは、折り曲げ線ＦＬ３の長さ（図１の長さＬ３）より小さい。エッジＥ３ａの第２方向Ｙに沿った長さは、折り曲げ線ＦＬ２の長さ（図１の長さＬ２）より小さい。エッジＥ５ａの第２方向Ｙに沿った長さは、折り曲げ線ＦＬ４の長さ（図１の長さＬ４）より小さい。
【００２４】
第１方向Ｘにおいて、領域Ａ２及び領域Ａ４は、折り曲げ線ＦＬ２の延長線と折り曲げ線ＦＬ４の延長線との間に位置している。すなわち、領域Ａ２の領域Ａ５側のエッジＥ２ｂは、折り曲げ線ＦＬ４を越えていない。領域Ａ２の領域Ａ３側のエッジＥ２ｃは、折り曲げ線ＦＬ２を越えていない。領域Ａ４の領域Ａ５側のエッジＥ４ｂは、折り曲げ線ＦＬ４を越えていない。領域Ａ４の領域Ａ３側のエッジＥ４ｃは、折り曲げ線ＦＬ２を越えていない。図２に示した例では、エッジＥ２ｂは、エッジＥ２ａの一端部から折り曲げ線ＦＬ１の一端部に向かって直線状に延出している。エッジＥ２ｃは、エッジＥ２ａの他端部から折り曲げ線ＦＬ１の他端部に向かって直線状に延出している。エッジＥ４ｂは、エッジＥ４ａの一端部から折り曲げ線ＦＬ３の一端部に向かって直線状に延出している。エッジＥ４ｃは、エッジＥ４ａの他端部から折り曲げ線ＦＬ３の他端部に向かって直線状に延出している。
【００２５】
第２方向Ｙにおいて、領域Ａ３及び領域Ａ５は、折り曲げ線ＦＬ１の延長線と折り曲げ線ＦＬ３の延長線との間に位置している。すなわち、領域Ａ３の領域Ａ２側のエッジＥ３ｂは、折り曲げ線ＦＬ１を超えていない。領域Ａ３の領域Ａ４側のエッジＥ３ｃは、折り曲げ線ＦＬ３を越えていない。領域Ａ５の領域Ａ２側のエッジＥ５ｂは、折り曲げ線ＦＬ１を超えていない。領域Ａ５の領域Ａ４側のエッジＥ５ｃは、折り曲げ線ＦＬ３を越えていない。図２に示した例では、エッジＥ３ｂは、エッジＥ３ａの一端部から折り曲げ線ＦＬ２の一端部に向かって直線状に延出している。エッジＥ３ｃは、エッジＥ３ａの他端部から折り曲げ線ＦＬ２の他端部に向かって直線状に延出している。図２に示した例では、エッジＥ５ｂは、エッジＥ５ａの一端部から折り曲げ線ＦＬ４の一端部に向かって直線状に延出している。エッジＥ５ｃは、エッジＥ５ａの他端部から折り曲げ線ＦＬ４の他端部に向かって直線状に延出している。
【００２６】
エッジＥ２ｃとエッジＥ３ｂとは、同一直線上に位置している。エッジＥ３ｃとエッジＥ４ｃとは、同一直線上に位置している。エッジＥ４ｂとエッジＥ５ｃとは、同一直線上に位置している。エッジＥ５ｂとエッジＥ２ｂとは、同一直線上に位置している。
【００２７】
領域Ａ１は、画像を表示する表示領域ＤＡを含んでいる。図２に示した例では、領域Ａ１は、折り曲げ線ＦＬ１乃至ＦＬ４の近傍において、非表示領域ＮＤＡを含んでいる。領域Ａ２乃至Ａ５は、それぞれ非表示領域ＮＤＡに相当する。
【００２８】
表示パネルＰＮＬは、領域Ａ１において、複数の走査線Ｇ、複数の信号線Ｓ、及び、複数の画素ＰＸを備えている。ここで、画素ＰＸとは、画素信号に応じて個別に制御することができる最小単位に相当する。図２に示した例では、走査線Ｇは、第１方向Ｘに沿って延出し、第２方向Ｙに間隔をおいて並んでいる。信号線Ｓは、第２方向Ｙに沿って延出し、第１方向Ｘに間隔をおいて並んでいる。画素ＰＸは、第１方向Ｘ及び第２方向Ｙに沿ってマトリクス状に配置されている。
【００２９】
各画素ＰＸは、図２において下側に示すように、スイッチング素子ＳＷ、画素電極ＰＥ、共通電極ＣＥ、液晶素子（後述する液晶層）ＬＣ等を備えている。スイッチング素子ＳＷは、例えば薄膜トランジスタ（ＴＦＴ）によって構成されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、複数の画素ＰＸに亘って配置された共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。
【００３０】
また、表示パネルＰＮＬは、非表示領域ＮＤＡにおいて、各画素ＰＸあるいは表示素子を駆動するためのソースドライバＳＤと、ゲートドライバＧＤ１及びＧＤ２と、ノイズ等を遮蔽するためのガードリングＷＬ１と、を備えている。一例では、ソースドライバＳＤは、領域Ａ２に位置し、第１方向Ｘに沿って設けられている。ゲートドライバＧＤ１は、領域Ａ３に位置し、第２方向Ｙに沿って設けられている。ゲートドライバＧＤ２は、領域Ａ５に位置し、第２方向Ｙに沿って設けられている。領域Ａ２乃至Ａ５の各々が図１に示したように領域Ａ１の背面側に位置する場合、ソースドライバＳＤ、ゲートドライバＧＤ１及びＧＤ２は、領域Ａ１の背面側に位置する。
【００３１】
信号線Ｓは、領域Ａ２まで延出し、ソースドライバＳＤと電気的に接続されている。走査線Ｇは、領域Ａ３又は領域Ａ５まで延出し、ゲートドライバＧＤ１又はゲートドライバＧＤ２と電気的に接続されている。図２に示した例では、ゲートドライバＧＤ１に接続される走査線Ｇと、ゲートドライバＧＤ２に接続される走査線Ｇとは、第２方向Ｙにおいて交互に並んでいる。なお、信号線Ｓ及び走査線Ｇは、直線状に延出しているが、一部が屈曲していてもよい。
【００３２】
折り曲げ線ＦＬ１とエッジＥ２ａとの間、折り曲げ線ＦＬ２とエッジＥ３ａとの間、折り曲げ線ＦＬ３とエッジＥ４ａとの間、及び、折り曲げ線ＦＬ４とエッジＥ５ａとの間には、画素ＰＸは、配置されていない。
【００３３】
表示パネルＰＮＬは、第１基板ＳＵＢ１と第２基板ＳＵＢ２とによって構成されている。上述の信号線Ｓ、走査線Ｇ、スイッチング素子ＳＷ、ソースドライバＳＤ、ゲートドライバＧＤ１及びＧＤ２などは、第１基板ＳＵＢ１に形成されている。また、ガードリングＷＬ１は、第１基板ＳＵＢ１の外周エッジに沿って設けられている。第１基板ＳＵＢ１は、第２基板ＳＵＢ２より第２方向Ｙに沿って延出した実装部ＭＴ１を備えている。図２に示した例では、実装部ＭＴ１は、領域Ａ２に位置し、エッジＥ２ａ沿って設けられている。実装部ＭＴ１は、表示パネルＰＮＬを、図１に示す配線基板ＰＣ１などと電気的に接続するための複数の端子ＴＥを含んでいる。実装部ＭＴ１は、端子ＴＥとして、ソースドライバＳＤと電気的に接続された端子ＴＥ１と、ゲートドライバＧＤ１と電気的に接続された端子ＴＥ２１と、ゲートドライバＧＤ２と電気的に接続された端子ＴＥ２２と、ガードリングと電気的に接続された端子ＴＥ３１及びＴＥ３２と、を含んでいる。
【００３４】
第１基板ＳＵＢ１と第２基板ＳＵＢ２とは、第３方向Ｚに対向し、シールＳＥによって互いに接着されている。シールＳＥは、表示領域ＤＡを囲み、非表示領域ＮＤＡに設けられている。図２に示した例では、シールＳＥは、斜線で示すように、領域Ａ１の外周と、領域Ａ２乃至Ａ５のほぼ全域にわたって設けられている。シールＳＥは、折り曲げ線ＦＬ１乃至ＦＬ４、ソースドライバＳＤ、及び、ゲートドライバＧＤ１及びＧＤ２に重畳している。折り曲げ線ＦＬ１は、シールＳＥの内端ＳＥＩとソースドライバＳＤとの間に位置している。折り曲げ線ＦＬ２は、内端ＳＥＩとゲートドライバＧＤ１との間に位置している。折り曲げ線ＦＬ４は、内端ＳＥＩとゲートドライバＧＤ２との間に位置している。折り曲げ線ＦＬ１乃至ＦＬ４は、いずれもソースドライバＳＤ、ゲートドライバＧＤ１及びＧＤ２と交差していない。  
液晶層ＬＣは、シールＳＥで囲まれた領域内に位置している。
【００３５】
ゲートドライバＧＤ１と電気的に接続された配線ＷＬ１１は、領域Ａ３、領域Ａ１、及び、領域Ａ２に亘って延伸し、実装部ＭＴ１において端子ＴＥ２１に接続されている。ゲートドライバＧＤ２と電気的に接続された配線ＷＬ１２は、領域Ａ５、領域Ａ１、及び、領域Ａ２に亘って延伸し、実装部ＭＴ１において端子ＴＥ２２に接続されている。すなわち、配線ＷＬ１１は、折り曲げ線ＦＬ２及びＦＬ１と１回ずつ交差している。配線ＷＬ１２は、折り曲げ線ＦＬ４及びＦＬ１と１回ずつ交差している。配線ＷＬ１１及びＷＬ１２は、表示領域ＤＡ（あるいは、シールＳＥの内端ＳＥＩ）とガードリングＷＬ１との間に位置している。ソースドライバＳＤに接続された配線ＷＬ３は、領域Ａ２において実装部ＭＴ１へ向かって延出している。
【００３６】
図３は、図２に示す領域Ａ１の断面図である。ここでは、表示装置ＤＳＰを第３方向Ｚに沿って切断した断面図を示す。図３に示した表示パネルＰＮＬは、主として基板主面にほぼ平行な横電界を利用する表示モードに対応した構成を有している。なお、ここでの基板主面とは、Ｘ−Ｙ平面と平行な面である。
【００３７】
第１基板ＳＵＢ１は、基体１０、信号線Ｓ、共通電極ＣＥ、金属層ＭＬ、画素電極ＰＥ、絶縁層１１、絶縁層１２、絶縁層１３、第１配向膜ＡＬ１などを備えている。基体１０は、例えばポリイミド等の有機絶縁材料によって形成された可撓性を有するフレキシブル基板である。基体１０は、第２基板ＳＵＢ２と対向する第１面１０Ａと、第１面１０Ａと反対側の第２面１０Ｂとを有している。なお、ここでは、スイッチング素子や走査線、これらの間に介在する各種絶縁層等の図示を省略している。
【００３８】
絶縁層１１は、基体１０の上、すなわち第１面１０Ａ側に位置している。図示しない走査線やスイッチング素子の半導体層は、基体１０と絶縁層１１の間に位置している。信号線Ｓは、絶縁層１１の上に位置している。絶縁層１２は、信号線Ｓ、及び、絶縁層１１の上に位置している。共通電極ＣＥは、絶縁層１２の上に位置している。金属層ＭＬは、信号線Ｓの直上において共通電極ＣＥに接触している。図３に示した例では、金属層ＭＬは、共通電極ＣＥの上に位置しているが、共通電極ＣＥと絶縁層１２との間に位置していてもよい。絶縁層１３は、共通電極ＣＥ、及び、金属層ＭＬの上に位置している。画素電極ＰＥは、絶縁層１３の上に位置している。画素電極ＰＥは、絶縁層１３を介して共通電極ＣＥと対向している。また、画素電極ＰＥは、共通電極ＣＥと対向する位置にスリットＳＴを有している。第１配向膜ＡＬ１は、画素電極ＰＥ及び絶縁層１３を覆っている。
【００３９】
走査線、信号線Ｓ、及び、金属層ＭＬは、モリブデン、タングステン、チタン、アルミニウムなどの金属材料によって形成され、単層構造であってもよいし、多層構造であってもよい。共通電極ＣＥ及び画素電極ＰＥは、インジウム錫酸化物（ＩＴＯ）やインジウム亜鉛酸化物（ＩＺＯ）等の透明な導電材料によって形成されている。絶縁層１１及び絶縁層１３は無機絶縁層であり、絶縁層１２は有機絶縁層である。
【００４０】
なお、第１基板ＳＵＢ１の構成は、図３に示した例に限らず、画素電極ＰＥが絶縁層１２と絶縁層１３との間に位置し、共通電極ＣＥが絶縁層１３と第１配向膜ＡＬ１との間に位置していてもよい。このような場合、画素電極ＰＥはスリットを有していない平板状に形成され、共通電極ＣＥは画素電極ＰＥと対向するスリットを有する。また、画素電極ＰＥ及び共通電極ＣＥの双方が櫛歯状に形成され、互いに噛み合うように配置されていてもよい。
【００４１】
第２基板ＳＵＢ２は、基体２０、遮光層ＢＭ、カラーフィルタ層ＣＦ、オーバーコート層ＯＣ、第２配向膜ＡＬ２などを備えている。基体２０は、例えばポリイミド等の有機絶縁材料によって形成された可撓性を有するフレキシブル基板である。基体２０は、第１基板ＳＵＢ１と対向する第１面２０Ａと、第１面２０Ａと反対側の第２面２０Ｂとを有している。
【００４２】
遮光層ＢＭ及びカラーフィルタ層ＣＦは、基体２０の第１面２０Ａ側に位置している。遮光層ＢＭは、各画素ＰＸを区画する。図３に示した例では、遮光層ＢＭは、信号線Ｓの直上に位置している。カラーフィルタ層ＣＦは、画素電極ＰＥと対向し、その一部が遮光層ＢＭに重なっている。カラーフィルタ層ＣＦは、赤色カラーフィルタ、緑色カラーフィルタ、青色カラーフィルタなどを含む。オーバーコート層ＯＣは、カラーフィルタ層ＣＦを覆っている。第２配向膜ＡＬ２は、オーバーコート層ＯＣを覆っている。
【００４３】
なお、カラーフィルタ層ＣＦは、第１基板ＳＵＢ１に配置されてもよい。カラーフィルタ層ＣＦは、４色以上のカラーフィルタを含んでいてもよい。白色を表示する画素には、白色のカラーフィルタが配置されてもよいし、無着色の樹脂材料が配置されてもよいし、カラーフィルタを配置せずにオーバーコート層ＯＣを配置してもよい。また、遮光層ＢＭは、オーバーコート層ＯＣ上に形成してもよい。
【００４４】
第１偏光板ＰＬ１を含む第１光学素子ＯＤ１は、第２面１０Ｂ側、すなわち基体１０と照明装置ＩＬとの間に位置している。第２偏光板ＰＬ２を含む第２光学素子ＯＤ２は、第２面２０Ｂ側に位置している。第１光学素子ＯＤ１及び第２光学素子ＯＤ２は、必要に応じて位相差板を含んでいてもよい。例えば、第１光学素子ＯＤ１は、表示パネルＰＮＬの支持体として機能し、基体１０の第２面１０Ｂのほぼ全面に亘って接着されている。つまり、第１光学素子ＯＤ１は、図２に示した領域Ａ１のみならず、領域Ａ２乃至Ａ５に亘って設けられ、折り曲げ線ＦＬ１乃至ＦＬ４に重畳している。第２光学素子ＯＤ２は、基体２０の第２面２０Ｂに接着されている。この第２光学素子ＯＤ２は、図１に示した光学素子ＯＤに相当し、領域Ａ１に設けられており、領域Ａ２乃至Ａ５には設けられず、折り曲げ線ＦＬ１乃至ＦＬ４には重畳していない。
【００４５】
なお、表示パネルＰＮＬは、基板主面に対して垂直な縦電界や、基板主面に対して斜め方向の電界、或いは、それらを組み合わせて利用する表示モードに対応した構成を有していてもよい。縦電界や斜め電界を利用する表示モードでは、例えば、第１基板ＳＵＢ１に画素電極ＰＥ及び共通電極ＣＥのいずれか一方が備えられ、第２基板ＳＵＢ２に画素電極ＰＥ及び共通電極ＣＥのいずれか他方が備えられた構成が適用可能である。
【００４６】
図４は、第２基板ＳＵＢ２が備える遮光層ＢＭの配置例を示す平面図である。  
図４の（ａ）に示す配置例では、遮光層ＢＭは、斜線で示すように、領域Ａ２乃至Ａ５のほぼ全面に設けられている。領域Ａ１については、角部Ｃ１乃至Ｃ４の近傍が遮光層ＢＭによって覆われている。ソースドライバＳＤ、ゲートドライバＧＤ１及びＧＤ２は、遮光層ＢＭの下方に位置し、それらのすべてが遮光層ＢＭと重なっている。このような配置例では、例えば、図２に示したシールＳＥは、遮光層ＢＭと重なっている。  
図４の（ｂ）に示す配置例では、遮光層ＢＭは、領域Ａ１を囲む枠状に形成されている。遮光層ＢＭの幅が十分に狭い場合、遮光層ＢＭを表示領域と非表示領域との境界とみなすことができる。折り曲げ線ＦＬ１乃至ＦＬ４は、枠状の遮光層ＢＭとほぼ重なるように位置している。なお、遮光層ＢＭは、省略されてもよい。
【００４７】
本実施形態によれば、表示領域ＤＡを含む領域Ａ１は、第１方向Ｘに沿って延出した折り曲げ線ＦＬ１及びＦＬ３の間、かつ、第２方向Ｙに沿って延出した折り曲げ線ＦＬ２及びＦＬ４の間の領域に相当する。表示領域ＤＡの画素ＰＸは、折り曲げられた表示パネルＰＮＬの主面（表示面）のほぼ全面に配置される。一方、ソースドライバＳＤ、ゲートドライバＧＤ１及びＧＤ２は、側面または背面に配置される。したがって、表示装置ＤＳＰの狭額縁化が実現される。
【００４８】
また、領域Ａ２及びＡ４は折り曲げ線ＦＬ２及びＦＬ４を越えず、領域Ａ３及びＡ５は折り曲げ線ＦＬ１及びＦＬ３を越えていない。このような構成にすることで、領域Ａ２乃至Ａ５が互いに干渉することなく、表示パネルＰＮＬを折り曲げることができる。
【００４９】
さらに、領域Ａ１の第１方向Ｘに沿った長さＬｘは折り曲げ線ＦＬ１の長さＬ１より長く、領域Ａ１の第２方向Ｙに沿った長さＬｙは折り曲げ線ＦＬ２の長さＬ２より長い。折り曲げ線ＦＬ１の端部ＦＥ１１は領域Ａ１の角部Ｃ１から離間し、折り曲げ線ＦＬ２の端部ＦＥ２１は角部Ｃ１から離間している。このため、折り曲げ線ＦＬ１及びＦＬ２において表示パネルＰＮＬを折り曲げた際に、角部Ｃ１に作用する応力を緩和することができる。他の角部Ｃ２乃至Ｃ４についても、同様に、応力を緩和することができる。
【００５０】
（第１変形例）  
図５は、表示パネルＰＮＬの第１変形例を示す展開図である。第１変形例は、表示パネルＰＮＬが折り曲げ線ＦＬ１、ＦＬ２、ＦＬ３、及び、ＦＬ４に加え、折り曲げ線ＦＬ５、ＦＬ６、ＦＬ７、及び、ＦＬ８を備える点で、図２に示す例と相違している。
【００５１】
折り曲げ線ＦＬ５乃至ＦＬ８は、いずれも山折りの折り曲げ線である。折り曲げ線ＦＬ５乃至ＦＬ８は、領域Ａ２乃至Ａ５にそれぞれ位置している。具体的には、折り曲げ線ＦＬ５は、折り曲げ線ＦＬ１とエッジＥ２ａとの間で、第１方向Ｘに沿って延出している。折り曲げ線ＦＬ６は、折り曲げ線ＦＬ２とエッジＥ３ａとの間で、第２方向Ｙに沿って延出している。折り曲げ線ＦＬ７は、折り曲げ線ＦＬ３とエッジＥ４ａとの間で、第１方向Ｘに沿って延出している。折り曲げ線ＦＬ８は、折り曲げ線ＦＬ４とエッジＥ５ａとの間で、第２方向Ｙに沿って延出している。
【００５２】
一例では、折り曲げ線ＦＬ５と折り曲げ線ＦＬ１との距離Ｌ１１、折り曲げ線ＦＬ６と折り曲げ線ＦＬ２との距離Ｌ１２、折り曲げ線ＦＬ７と折り曲げ線ＦＬ３との距離Ｌ１３、及び、折り曲げ線ＦＬ８と折り曲げ線ＦＬ４との距離Ｌ１４は、ほぼ等しい。ここで、距離Ｌ１１及びＬ１３は第２方向Ｙに沿った距離であり、距離Ｌ１２及びＬ１４は第１方向Ｘに沿った距離である。
【００５３】
図５に示した例では、ソースドライバＳＤは、折り曲げ線ＦＬ５とエッジＥ２ａとの間に位置している。ゲートドライバＧＤ１は折り曲げ線ＦＬ６とエッジＥ３ａとの間に位置し、ゲートドライバＧＤ２は折り曲げ線ＦＬ８とエッジＥ５ａとの間に位置している。
【００５４】
配線ＷＬ１１は、ゲートドライバＧＤ１から実装部ＭＴ１に向かって延出し、折り曲げ線ＦＬ６、ＦＬ２、ＦＬ１、及び、ＦＬ５と交差している。配線ＷＬ１２は、ゲートドライバＧＤ２から実装部ＭＴ１に向かって延出し、折り曲げ線ＦＬ８、ＦＬ４、ＦＬ１、及び、ＦＬ５と交差している。配線ＷＬ３は、いずれの折り曲げ線とも交差していない。ガードリングＷＬ１は、折り曲げ線ＦＬ１乃至ＦＬ８の各々と交差している。
【００５５】
図６は、図５に示す表示パネルＰＮＬを折り曲げ線に沿って折り曲げた場合の斜視図である。図６の（ａ）は表示パネルＰＮＬの表示面側を示し、図６の（ｂ）は表示パネルＰＮＬの表示面とは反対側を示している。図６の（ａ）及び図６の（ｂ）に示すように、表示パネルＰＮＬは、折り曲げ線ＦＬ５乃至ＦＬ８において、山折りに折り曲げられている。これにより、領域Ａ２乃至Ａ５のうち、エッジＥ２ａ、Ｅ３ａ、Ｅ４ａ、及び、Ｅ５ａを含む一部の領域は、領域Ａ１の背面側に位置し、第３方向Ｚにおいて領域Ａ１と対向する。一例では、折り曲げ線ＦＬ１乃至ＦＬ８の各々において、表示パネルＰＮＬが９０°に折り曲げられた場合、ソースドライバＳＤ、ゲートドライバＧＤ１及びＧＤ２は、領域Ａ１とほぼ平行な同一面（Ｘ−Ｙ平面）内に位置する。配線基板ＰＣ１は、実装部ＭＴ１に実装されている。配線基板ＰＣ１は、領域Ａ１と対向している。表示パネルＰＮＬが折り曲げられた状態において、領域Ａ２乃至Ａ５は、互いに重ならない。すなわち、エッジＥ２ａ、Ｅ３ａ、Ｅ４ａ及びＥ５ａは、互いに離間している。
【００５６】
図７は、図６に示すＡ−Ｂ線に沿った断面図である。図７は、第１方向Ｘ及び第３方向Ｚによって規定されるＸ−Ｚ平面と平行な面を示している。  
図７に示した例では、領域Ａ３は、折り曲げ線ＦＬ２において、領域Ａ１に対して約９０度に折り曲げられている。さらに、領域Ａ３は、折り曲げ線ＦＬ６において、約９０度に折り曲げられている。領域Ａ５は、折り曲げ線ＦＬ４において、領域Ａ１に対して約９０度に折り曲げられている。さらに、領域Ａ５は、折り曲げ線ＦＬ８において、約９０度に折り曲げられている。
【００５７】
エッジＥ３ａ及びＥ５ａは、領域Ａ１の直下に位置している。折り曲げ線ＦＬ６とエッジＥ３ａとの間に位置するゲートドライバＧＤ１、及び、折り曲げ線ＦＬ８とエッジＥ５ａとの間に位置するゲートドライバＧＤ２は、領域Ａ１の直下に位置している。なお、図示は省略するが、領域Ａ２及びＡ４も同様に折り曲げられる。なお、各折り曲げ線における折り曲げの角度は、９０度以外であってもよい。また、各折り曲げ線において折り曲げの角度が異なっていてもよい。  
図７に示した例では、領域Ａ１、Ａ３、及びＡ５によって囲まれる空間に、構造物ＯＢが配置されている。構造物ＯＢは、例えば照明装置であるが、表示パネルＰＮＬを支持するための支持体であってもよい。
【００５８】
図８は、図６に示す角部Ｃ１の近傍における表示装置ＤＳＰの断面図である。ここでは、図７に示した構造物ＯＢが照明装置ＩＬである場合について説明する。  
表示装置ＤＳＰは、第１光学素子ＯＤ１及び第２光学素子ＯＤ２が接着された表示パネルＰＮＬの他に、照明装置ＩＬを備えている。照明装置ＩＬは、図示しない光源の他に、導光体ＬＧと、複数の光学シートＯＳ１及びＯＳ２と、反射シートＲＳと、ケースＣＳ１とを備えている。導光体ＬＧ、光学シートＯＳ１及びＯＳ２、及び、反射シートＲＳは、ケースＣＳ１に収容されている。光学シートＯＳ１及びＯＳ２は、導光体ＬＧと第１光学素子ＯＤ１との間に設けられている。反射シートＲＳは、ケースＣＳ１と導光体ＬＧとの間に設けられている。第１光学素子ＯＤ１及び表示パネルＰＮＬは、ケースＣＳ１に沿って、折り曲げ線ＦＬ２及びＦＬ６において、約９０°に折り曲げられている。  
ケースＣＳ２は、照明装置ＩＬ及び表示パネルＰＮＬを収容している。カバー部材ＣＧは、例えば透明なガラス基板や透明な樹脂基板によって形成されている。第２光学素子ＯＤ２及びカバー部材ＣＧは、透明な接着剤ＡＤによって接着されている。
【００５９】
第１変形例においても、図２に示す例と同様の効果を得ることができる。さらに、第１変形例によれば、ソースドライバＳＤ及びゲートドライバＧＤ１及びＧＤ２を領域Ａ１の直下に配置することができる。したがって、表示装置ＤＳＰの第３方向Ｚに沿った厚さを小さくすることができる。
【００６０】
また、上記の通り、折り曲げ線ＦＬ１乃至ＦＬ４の各々の端部が領域Ａ１の角部Ｃ１乃至Ｃ４から離間しているため、角部Ｃ１乃至Ｃ４に作用する応力が緩和される。このため、角部Ｃ１乃至Ｃ４の近傍において、表示パネルＰＮＬと第２光学素子ＯＤ２との界面、第２光学素子ＯＤ２と接着剤ＡＤとの界面、あるいは、接着剤ＡＤとカバー部材ＣＧとの界面における剥離を抑制することができる。これにより、表示領域ＤＡの周縁部における表示品位の劣化を招くことなく、表示装置ＤＳＰの狭額縁化が実現できる。
【００６１】
（第２変形例）  
図９は、表示パネルＰＮＬの第２変形例を示す展開図である。領域Ａ２は、エッジＥ２ａ、Ｅ２ｂ、及び、Ｅ２ｃに加え、エッジＥ２ｄ及びＥ２ｅを有している。エッジＥ２ｄは、エッジＥ２ｂと領域Ａ１との間、あるいは、折り曲げ線ＦＬ１と折り曲げ線ＦＬ５との間に位置している。エッジＥ２ｅは、エッジＥ２ｃと領域Ａ１との間、あるいは、折り曲げ線ＦＬ１と折り曲げ線ＦＬ５との間に位置している。
【００６２】
領域Ａ３は、エッジＥ３ａ、Ｅ３ｂ、及び、Ｅ３ｃに加え、エッジＥ３ｄ及びＥ３ｅを有している。エッジＥ３ｄは、エッジＥ３ｂと領域Ａ１との間、あるいは、折り曲げ線ＦＬ２と折り曲げ線ＦＬ６との間に位置している。エッジＥ３ｅは、エッジＥ３ｃと領域Ａ１との間、あるいは、折り曲げ線ＦＬ２と折り曲げ線ＦＬ６との間に位置している。領域Ａ４の構成は領域Ａ２と同様であり、領域Ａ５の構成は領域Ａ３と同様であるため、それぞれの説明を省略する。
【００６３】
図９に示した例では、エッジＥ２ｄ及びＥ２ｅが第２方向Ｙに沿って延出し、エッジＥ３ｄ及びＥ３ｅが第１方向Ｘに沿って延出している。領域Ａ２おいて、エッジＥ２ｄは、折り曲げ線ＦＬ４の延長線上には位置せず、角部Ｃ４から離間している。また、エッジＥ２ｅは、折り曲げ線ＦＬ２の延長線上には位置せず、角部Ｃ１から離間している。領域Ａ３において、エッジＥ３ｄは、折り曲げ線ＦＬ１の延長線上には位置せず、角部Ｃ１から離間している。エッジＥ３ｅは、折り曲げ線ＦＬ３の延長線上には位置せず、角部Ｃ２から離間している。
【００６４】
エッジＥ２ｄ及びエッジＥ２ｅの第２方向Ｙに沿った長さと、エッジＥ３ｄ及びエッジＥ３ｅの第１方向Ｘに沿った長さは、ほぼ等しい。また、折り曲げ線ＦＬ１、ＦＬ３、ＦＬ５及びＦＬ７の第１方向Ｘに沿った長さは、ほぼ等しい。折り曲げ線ＦＬ２、ＦＬ４、ＦＬ６、及びＦＬ８の第２方向Ｙに沿った長さは、ほぼ等しい。
【００６５】
図１０は、図９に示す表示パネルＰＮＬを折り曲げ線に沿って折り曲げた場合の斜視図である。図１０の（ａ）は表示パネルＰＮＬの表示面側を示し、図１０の（ｂ）は表示パネルＰＮＬの表示面とは反対側を示している。  
図１０の（ａ）に示すように、表示パネルＰＮＬが折り曲げられた状態では、エッジＥ２ｅ及びエッジＥ３ｄは、角部Ｃ１から離間している。エッジＥ２ｄは、角部Ｃ４から離間している。エッジＥ３ｅは、角部Ｃ２から離間している。エッジＥ２ｄ及びＥ２ｅ、及び、エッジＥ３ｄ及びＥ３ｅは、それぞれ第３方向Ｚに沿って延出している。  
図１０の（ｂ）に示すように、エッジＥ２ａ、Ｅ３ａ、Ｅ４ａ、及び、Ｅ５ａは、領域Ａ１の背面側に位置している。ソースドライバＳＤ、ゲートドライバＧＤ１及びＧＤ２は、領域Ａ１の背面側に位置している。  
このような第２変形例においても、第１変形例と同様の効果を得ることができる。
【００６６】
（第３変形例）  
図１１は、表示パネルＰＮＬの第３変形例を示す断面図である。第３変形例は、表示パネルＰＮＬが表示素子として有機ＥＬ素子を備えている点で、図３に示す例と相違している。図１１は、図２に示す領域Ａ１の断面図である。表示パネルＰＮＬは、第１基板ＳＵＢ１と、第２基板ＳＵＢ２とによって構成されている。
【００６７】
第１基板ＳＵＢ１は、基体３０、スイッチング素子ＳＷ（ＳＷ１、ＳＷ２、ＳＷ３）、反射層ＲＬ、有機ＥＬ素子ＯＬＥＤ（ＯＬＥＤ１、ＯＬＥＤ２、ＯＬＥＤ３）等を備えている。図１１に示した例では、第１基板ＳＵＢ１は、基体３０の下に設けられた保護部材ＰＰを備えている。
【００６８】
基体３０は、例えばポリイミド等の有機絶縁材料によって形成された可撓性を有するフレキシブル基板である。絶縁層３１は、基体３０の上に形成されている。絶縁層３１は、基体３０から有機ＥＬ素子ＯＬＥＤへ向かう水分等の侵入を抑制するためのバリア層を含んでいてもよい。なお、絶縁層３１は、省略されてもよい。
【００６９】
スイッチング素子ＳＷは、絶縁層３１の上に形成されている。スイッチング素子ＳＷは、例えば薄膜トランジスタ（ＴＦＴ；thin-film-transistor）により構成されている。以下では、スイッチング素子ＳＷ１を例として、その構成を説明する。
【００７０】
スイッチング素子ＳＷ１は、半導体層ＳＣ、ゲート電極ＷＧ、ソース電極ＷＳ、及び、ドレイン電極ＷＤを備えている。半導体層ＳＣは、絶縁層３１の上に形成され、絶縁層３２により覆われている。ゲート電極ＷＧは、絶縁層３２の上に形成され、絶縁層３３により覆われている。ソース電極ＷＳ及びドレイン電極ＷＤは、それぞれ絶縁層３３の上に形成されている。ソース電極ＷＳ及びドレイン電極ＷＤは、絶縁層３３を半導体層ＳＣまで貫通するコンタクトホールにおいて、半導体層ＳＣにそれぞれ接触している。
【００７１】
ゲート電極ＷＧは、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金などによって形成され、単層構造であってもよいし、多層構造であってもよい。ソース電極ＷＳ及びドレイン電極ＷＤを形成する材料は、上記の金属材料が適用可能である。絶縁層３１乃至３３は、酸化シリコン、窒化シリコン、酸窒化シリコン等の無機絶縁材料により形成されている。スイッチング素子ＳＷ１は、絶縁層３４により覆われている。絶縁層３４は、例えば透明な樹脂等の有機絶縁材料により形成されている。
【００７２】
有機ＥＬ素子ＯＬＥＤは、絶縁層３４の上に形成されている。図１１に示した例では、有機ＥＬ素子ＯＬＥＤは、基体３０とは反対側に光を出射する所謂トップエミッションタイプであるが、この例に限らず、基体３０の側に光を出射する所謂ボトムエミッションタイプであってもよい。有機ＥＬ素子ＯＬＥＤ１はスイッチング素子ＳＷ１と電気的に接続され、有機ＥＬ素子ＯＬＥＤ２はスイッチング素子ＳＷ２と電気的に接続され、有機ＥＬ素子ＯＬＥＤ３はスイッチング素子ＳＷ３と電気的に接続されている。このような有機ＥＬ素子ＯＬＥＤ１乃至ＯＬＥＤ３は、いずれも同一構造である。以下では、有機ＥＬ素子ＯＬＥＤ１を例として、その構成を説明する。
【００７３】
有機ＥＬ素子ＯＬＥＤ１は、画素電極ＰＥ１、共通電極ＣＥ、及び有機発光層ＯＲＧ１により構成されている。画素電極ＰＥ１は、絶縁層３４の上に設けられている。画素電極ＰＥ１は、有機ＥＬ素子ＯＬＥＤ１の例えば陽極として機能する。画素電極ＰＥ１は、絶縁層３４内に設けられたコンタクトホールにおいて、スイッチング素子ＳＷ１のドレイン電極ＷＤと接触し、スイッチング素子ＳＷ１と電気的に接続されている。有機発光層ＯＲＧ１は、画素電極ＰＥ１の上に形成されている。有機発光層ＯＲＧ１は、発光効率を向上するために、電子注入層、正孔注入層、電子輸送層、正孔輸送層等をさらに含んでいてもよい。共通電極ＣＥは、有機発光層ＯＲＧ１の上に形成されている。共通電極ＣＥは、有機ＥＬ素子ＯＬＥＤ１の例えば陰極として機能する。共通電極ＣＥと画素電極ＰＥとは、例えばインジウム錫酸化物（ＩＴＯ）やインジウム亜鉛酸化物（ＩＺＯ）等の透明な導電材料によって形成されている。以上のように構成された有機ＥＬ素子ＯＬＥＤ１は、画素電極ＰＥ１と共通電極ＣＥとの間に印加される電圧（あるいは電流）に応じた輝度で発光する。
【００７４】
なお、図１１に示すように、有機ＥＬ素子ＯＬＥＤ１がトップエミッションタイプの場合には、有機ＥＬ素子ＯＬＥＤ１は、絶縁層３４と画素電極ＰＥ１との間に反射層ＲＬを含んでいることが望ましい。反射層ＲＬは、例えばアルミニウム、銀等の反射率の高い金属材料により形成されている。なお、反射層ＲＬの反射面、すなわち有機発光層ＯＲＧ１側の面は、図１１に示すように平坦であってもよいし、光散乱性を付与するために凹凸が形成されていてもよい。
【００７５】
一例では、有機ＥＬ素子ＯＬＥＤ１が備える有機発光層ＯＲＧ１は青色の発光し、有機ＥＬ素子ＯＬＥＤ２が備える有機発光層ＯＲＧ２は緑色に発光し、有機ＥＬ素子ＯＬＥＤ３が備える有機発光層ＯＲＧ３は赤色に発光する。各有機ＥＬ素子ＯＬＥＤは、有機絶縁材料からなる絶縁層（リブ）３５により区画されている。すなわち、有機発光層ＯＲＧ１、ＯＲＧ２、及びＯＲＧ３は、隣接する絶縁層３５の間において、それぞれ画素電極ＰＥ１、ＰＥ２、及びＰＥ３と接している。なお、図示しないが、有機ＥＬ素子ＯＬＥＤは、透明な封止膜によって封止されていることが望ましい。
【００７６】
第２基板ＳＵＢ２は、基体４０、カラーフィルタ層２２０等を備えている。基体４０は、例えばポリイミド等の有機絶縁材料によって形成された可撓性を有するフレキシブル基板である。なお、基体４０は、光学フィルムや偏光板等を含んでいてもよい。
【００７７】
カラーフィルタ層２２０は、基体４０の内面４０Ａ側に配置されている。カラーフィルタ層２２０は、カラーフィルタＣＦ１、カラーフィルタＣＦ２、及び、カラーフィルタＣＦ３を備えている。カラーフィルタＣＦ１、ＣＦ２、ＣＦ３は、互いに異なる色にそれぞれ着色された樹脂材料によって形成されている。一例では、カラーフィルタＣＦ１は青色カラーフィルタであり、カラーフィルタＣＦ２は緑色カラーフィルタであり、カラーフィルタＣＦ３は赤色カラーフィルタである。なお、カラーフィルタ層２２０は、さらに、白色あるいは透明のカラーフィルタを含んでいてもよい。カラーフィルタＣＦ１、ＣＦ２、ＣＦ３は、それぞれ有機ＥＬ素子ＯＬＥＤ１、ＯＬＥＤ２、ＯＬＥＤ３と対向している。なお、カラーフィルタ層２２０は、省略されてもよい。
【００７８】
上記のような第１基板ＳＵＢ１と第２基板ＳＵＢ２とは、領域Ａ１において、透明な接着剤４１によって接着されている。また、第１基板ＳＵＢ１及び第２基板ＳＵＢ２は、接着剤４１に加えて、非表示領域において、接着剤４１を囲むシール材によって接着されていてもよい。  
第４変形例においても、図３に示す例と同様の効果を得ることができる。
【００７９】
本実施形態において、液晶素子ＬＣ及び有機ＥＬ素子ＯＬＥＤは、表示素子に相当する。領域Ａ１は第１領域に相当し、領域Ａ２は第２領域に相当し、領域Ａ３は第３領域に相当する。折り曲げ線ＦＬ１は第１折り曲げ線に相当し、折り曲げ線ＦＬ２は第２折り曲げ線に相当し、折り曲げ線ＦＬ５は第３折り曲げ線に相当し、折り曲げ線ＦＬ６は第４折り曲げ線に相当する。ソースドライバＳＤは第１ドライバに相当し、ゲートドライバＧＤ１は第２ドライバに相当する。エッジＥ２ａは第１エッジに相当し、エッジＥ３ａは第２エッジに相当する。ガードリングＷＬ１は第１配線に相当し、配線ＷＬ１１は第２配線に相当する。端子ＴＥ１は第１端子に相当し、端子ＴＥ２１は第２端子に相当する。
【００８０】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８１】
本明細書にて開示した構成から得られる表示装置の一例を以下に付記する。  
（１）
表示素子を備えた表示領域を含む第１領域と、非表示領域であり前記第１領域と隣接する第２領域及び第３領域と、を有するシート状の表示パネルと、
前記第１領域と前記第２領域との境界に位置する第１折り曲げ線と、
前記第１領域と前記第３領域との境界に位置する第２折り曲げ線と、を備え、
前記第１折り曲げ線は、第１方向に沿って延出し、
前記第２折り曲げ線は、前記第１方向と交差する第２方向に沿って延出し、
前記第１領域の前記第１方向に沿った長さは、前記第１折り曲げ線の長さより長く、
前記第１領域の前記第２方向に沿った長さは、前記第２折り曲げ線の長さより長い、表示装置。
（２）
前記第１折り曲げ線の端部は、前記第１領域の角部から離間し、
前記第２折り曲げ線の端部は、前記角部から離間している、（１）に記載の表示装置。
（３）
前記表示素子を駆動する第１ドライバ及び第２ドライバを備え、
前記第１ドライバは、前記第２領域に位置し、
前記第２ドライバは、前記第３領域に位置している、（１）に記載の表示装置。
（４）
前記第２領域に位置し、前記第１方向に沿って延出した第３折り曲げ線と、
前記第３領域に位置し、前記第２方向に沿って延出した第４折り曲げ線と、を備えている、（１）に記載の表示装置。
（５）
前記第２領域は、前記第１領域と反対側の第１エッジを有し、
前記第３領域は、前記第１領域と反対側の第２エッジを有し、
前記第１エッジ及び前記第２エッジは、前記第１領域と対向している、（４）に記載の表示装置。
（６）
前記第１エッジと前記第２エッジとは、重なっていない、（５）に記載の表示装置。
（７）
前記表示素子を駆動する第１ドライバ及び第２ドライバを備え、
前記第１ドライバは、前記第３折り曲げ線と前記第１エッジとの間に位置し、
前記第２ドライバは、前記第４折り曲げ線と前記第２エッジとの間に位置している、（５）又は（６）に記載の表示装置。
（８）
前記第２領域は、実装部を備え、
前記実装部は、前記第１ドライバと電気的に接続された第１端子と、前記第２ドライバと電気的に接続された第２端子と、を含んでいる、（３）又は（７）に記載の表示装置。
（９）
第１配線と、前記第２ドライバと前記第２端子とを電気的に接続する第２配線と、を備え、
前記第２配線は、前記表示領域と前記第１配線との間に位置し、
前記第１配線及び前記第２配線は、前記第２領域、前記第１領域、及び、前記第３領域に亘って延伸している、（８）に記載の表示装置。
（１０）
前記表示パネルは、第１基板と、第２基板と、前記第１基板と前記第２基板とを接着するシールと、を備え、
前記シールは、前記第２領域、前記第１領域、及び、前記第３領域に亘って設けられている、（１）乃至（９）のいずれか１項に記載の表示装置。
（１１）
前記第１折り曲げ線及び前記第２折り曲げ線は、山折りの折り曲げ線である、（１）乃至（１０）のいずれか１項に記載の表示装置。
【符号の説明】
【００８２】
１０，２０…基体、１１…絶縁層、１２…絶縁層、１４…絶縁層、ＰＮＬ…表示パネル、ＬＣ…液晶層（液晶素子）、ＳＥ…シール、ＢＭ…遮光層、ＦＬ１，ＦＬ２，ＦＬ５，ＦＬ６…折り曲げ線、Ｅ２ａ，Ｅ３ａ…エッジ、ＳＤ…ソースドライバ、ＧＤ１，ＧＤ２…ゲートドライバ、Ａ１，Ａ２，Ａ３…領域。
【図１】
2020118834.tif 000003
【図２】
2020118834.tif 000004
【図３】
2020118834.tif 000005
【図４】
2020118834.tif 000006
【図５】
2020118834.tif 000007
【図６】
2020118834.tif 000008
【図７】
2020118834.tif 000009
【図８】
2020118834.tif 000010
【図９】
2020118834.tif 000011
【図１０】
2020118834.tif 000012
【図１１】
2020118834.tif 000013